(57)【特許請求の範囲】
【請求項１】
アンテナ及び集積回路を備え、非接触でデータ通信を行う薄板状のタグを遊技機の所定の部材に固定するためのタグ支持部材において、
板状に形成され、前記遊技機の所定の部材と対面するように配置される基体と、前記遊技機の所定の部材側から前記基体の一部を覆う閉じ位置と前記基体の一部を露呈させる開き位置との間で回動するカバーとを有し、前記基体と前記カバーとのいずれかに前記タグを取り付ける取付面が形成され、前記基体と前記カバーとによって前記タグを覆う本体部と、
前記基体の両側部から前記基体に対して略垂直に突出するように形成された第１、第２の一対の接続部と、
前記第１接続部の先端に接続されて前記基体の一側部を前記遊技機の所定の部材に固定する第１固定部と、
前記第２接続部の先端に接続されて前記基体の他側部を前記遊技機の所定の部材に固定する第２固定部とを備えるとともに、
前記カバーは、前記閉じ位置に移動された際に、前記基体と前記第１、第２接続部とにより形成される略コ字形状の内側部分の隙間を塞ぐように設けられ、当該タグ支持部材が前記第１、第２固定部によって前記遊技機の所定の部材に固定されると、前記遊技機の所定の部材との当接によって前記開き位置への回動が規制されて前記閉じ位置に拘束されることを特徴とするタグ支持部材。
【請求項２】
前記第１固定部は、前記基体と略平行かつ前記基体よりも外側に突出する略板状に形成され、前記遊技機の所定の部材に設けられた孔と嵌合するフックであり、
前記第２固定部は、前記基体と略平行かつ前記基体よりも外側に突出する略板状に形成されるとともに、ボルトを通すための貫通孔が設けられたフランジであることを特徴とする請求項１記載のタグ支持部材。
【請求項３】
前記基体は、略長方形の平板状に形成され、
前記カバーは、前記基体の短辺と平行な軸に軸支されていることを特徴とする請求項１または２記載のタグ支持部材。
【請求項４】
前記基体は、略長方形の平板状に形成され、
前記カバーは、前記基体の長辺と平行な軸に軸支されていることを特徴とする請求項１または２記載のタグ支持部材。
【請求項５】
前記取付面は、前記本体部の一面を僅かに凹ますことによって形成されていることを特徴とする請求項１から４のいずれか１項に記載のタグ支持部材。
【請求項６】
透光性を有する材料で成形されていることを特徴とする請求項１から５のいずれか１項に記載のタグ支持部材。
【発明の詳細な説明】
【技術分野】
【０００１】
本発明は、薄板状のタグを装置、部品などに取付ける際に用いるタグ支持部材に関するものである。
【背景技術】
【０００２】
近年電波を介して非接触でＩＤコードを認識するＲＦＩＤ（Ｒａｄｉｏ  Ｆｒｅｑｕｅｎｃｙ  ＩＤｅｎｔｉｆｉｃａｔｉｏｎ）技術が急速に発展しており、鉄道やバスの定期券、高速道路の料金回収などで多く実用化されている。この技術は工業製品に組み込まれている部品の管理にも採用されており、管理の効率化、確実化を促進している。
【０００３】
例えば、工場などで工業製品を製造する場合、先ず工業製品を構成する部品に関する各種情報（製造日、出荷先、出荷日、製品名、製造番号など）を記録したＲＦＩＤタグが取付けられ、ベルトコンベアで各種搬送経路を搬送される。搬送経路の所定の位置には、前記各種情報に係る読み出し装置／及び書き込み装置（以下、「Ｒ／Ｗ装置」と称す）が組み込まれたゲートまたはアンテナが設置され、ＲＦＩＤタグ付の構成部品が通過することでＲＦＩＤタグとＲ／Ｗ装置との間でデータ通信が交わされる。その結果を基に、作業員、もしくはコンピュータによって搬送経路の振り分けや、個別に必要な作業などが実施される。
【０００４】
また、遊技店などでは、設置される遊技機を構成する部材、ユニット、装置、又は基板などにＲＦＩＤタグが取り付けられ、ユーザが手に持って操作できる携帯型のＲ／Ｗ装置を、遊技機のＲＦＩＤタグが備えられている箇所に向けて操作することにより、ＲＦＩＤタグに対して情報の読み書きが行われている。このＲＦＩＤタグには、遊技機特有の識別情報（暗号情報も含む）が記憶されており、遊技機の管理、監視、検査などに用いられている。
【０００５】
ＲＦＩＤタグに記録されている情報をＲ／Ｗ装置で読み出した場合、読み出された情報はＲ／Ｗ装置を介して店内の様々な情報を管理するホストコンピュータに転送される。また、ＲＦＩＤタグに書き込みを行う場合、Ｒ／Ｗ装置は必要な情報をホストコンピュータから適宜読み出し、その情報をＲＦＩＤタグに書き込む。この様にして、店内に設置された遊技機に関する各種情報を、ホストコンピュータにて総合管理している。
【発明の開示】
【発明が解決しようとする課題】
【０００６】
ＲＦＩＤタグは工業製品において、その機能や性能に影響するものではなく、保守や管理を目的として備えられるものであるから、当該工業製品の構成を阻害せず、且つＲＦＩＤタグへの書き込み、読み出し作業が容易である工業製品の任意の位置に取付けられることが好ましい。
【０００７】
しかしながら、工業製品の部材には金属、及びメッキ、プリント配線、電線などの金属製物質が使用されていることが多く、データ通信に電波を介在させるＲＦＩＤタグをこれら金属製物質の上に取付けると、Ｒ／Ｗ装置からの送信波を、金属面で反射した反射波が打ち消してしまったり、ＲＦＩＤタグが保有する送受信アンテナのマッチング特性が変化してしまうなどし、正常な通信を確立できないという問題を生じることがある。また、プリント配線、電線などの電気配線経路上では、電磁干渉により同様の問題を生ずることがある。従って、ＲＦＩＤタグの大きさ、性能、及び被固定物の材質などにより、その取付位置が制限されているのが現状である。
【０００８】
また、ＲＦＩＤタグは、薄板状に形成することも可能であり、省スペース化や汎用性の面では非常にメリットが高いが、この様なＲＦＩＤタグをそのまま被固定物に貼着したのでは外力に弱い。そのため外力が加わり難く、且つ前述の金属製物質などの問題が発生しない位置にしか取付けることができない。
【０００９】
また、ＲＦＩＤタグを取り付ける対象が遊技店などに設置される遊技機である場合、多くの遊技利益を獲得したいと考え、遊技機を構成する部材を不正に利益が獲得できる部材に交換しようとする者が少なからずおり、不正に交換されないように工夫する必要があった。
【００１０】
本発明は、上記課題を鑑みてなされたものであり、薄板状のＲＦＩＤタグを外力から保護すると共に、性能を損なわずに金属製物質への取付けを可能とする、タグ支持部材を提供することを目的とする。
【課題を解決するための手段】
【００１１】
上記目的を達成するため、本発明のタグ支持部材は、  アンテナ及び集積回路を備え、非接触でデータ通信を行う薄板状のタグを遊技機の所定の部材に固定するためのタグ支持部材において、板状に形成され、前記遊技機の所定の部材と対面するように配置される基体と、前記遊技機の所定の部材側から前記基体の一部を覆う閉じ位置と前記基体の一部を露呈させる開き位置との間で回動するカバーとを有し、前記基体と前記カバーとのいずれかに前記タグを取り付ける取付面が形成され、前記基体と前記カバーとによって前記タグを覆う本体部と、前記基体の両側部から前記基体に対して略垂直に突出するように形成された第１、第２の一対の接続部と、前記第１接続部の先端に接続されて前記基体の一側部を前記遊技機の所定の部材に固定する第１固定部と、前記第２接続部の先端に接続されて前記基体の他側部を前記遊技機の所定の部材に固定する第２固定部とを備えるとともに、前記カバーは、前記閉じ位置に移動された際に、前記基体と前記第１、第２接続部とにより形成される略コ字形状の内側部分の隙間を塞ぐように設けられ、当該タグ支持部材が前記第１、第２固定部によって前記遊技機の所定の部材に固定されると、前記遊技機の所定の部材との当接によって前記開き位置への回動が規制されて前記閉じ位置に拘束されることを特徴とする。
【００１２】
なお、前記第１固定部は、前記基体と略平行かつ前記基体よりも外側に突出する略板状に形成され、前記遊技機の所定の部材に設けられた孔と嵌合するフックであり、前記第２固定部は、前記基体と略平行かつ前記基体よりも外側に突出する略板状に形成されるとともに、ボルトを通すための貫通孔が設けられたフランジであることが好ましい。
【００１３】
また、前記基体は、略長方形の平板状に形成され、前記カバーは、前記基体の短辺または長辺のいずれかと平行な軸に軸支されていることが好ましい。さらに、前記取付面は、前記本体部の一面を僅かに凹ますことによって形成されていることが好ましい。
【００１５】
また、遊技機の所定の部材に固定された際に、前記取付面に取り付けられた前記タグが外側から視認できるよう、透光性を有する材料で成形されることが好ましい。
【発明の効果】
【００１６】
本発明のタグ支持部材では、略長方形の平板状に形成され、一面に前記タグを取り付ける取付面を有する本体部と、一面の短辺の一方から略垂直に突出するように形成された第１接続部と、一面の短辺の他方から略垂直に突出するように形成された第２接続部と、第１接続部の先端から本体部と略平行かつ本体部よりも外側に突出するように形成され、本体部の一端を遊技機の所定の部材に固定する第１固定部と、第２接続部の先端から本体部と略平行かつ本体部よりも外側に突出するように形成され、本体部の他端を遊技機の所定の部材に固定する第２固定部とを備えた。これにより、例えば、遊技機の所定の部材が金属、もしくはその一部に金属が使用されている部材であった場合でも、略垂直に突出した各接続部によってタグと遊技機の所定の部材との間に所定の間隔が設けられるので、タグのデータ通信の性能が損なわれることはない。このため、タグを遊技機の所定の部材に取り付ける際に、その材質に依存されることがなく、取付位置の自由度を高めることができる。また、本体部と各接続部とによって形成される内壁面側にタグが取り付けられるので、外部から容易にタグに触れることを防止することができる。
【００１７】
なお、取付面を覆う閉じ位置と取付面を露呈させる開き位置との間で移動自在なカバーを設けることにより、薄板状で外力に弱いタグを外力から適切に保護することができる。
【００１８】
また、各固定部によって本体部が遊技機の所定の部材に固定された際に、カバーが閉じ位置に拘束されることにより、タグの着脱を防止して、例えば、タグの盗難、すり替えなどの犯罪に対するセキュリティ性を高めることができる。
【００１９】
さらに、取付面を、一面よりも僅かに凹ませることで、取付面に取り付けられたタグが容易に外れてしまうことを防止することができる。
【００２０】
なお、透光性を有する材料で成形することで、各固定部によって遊技機の所定の部材に固定した際に、取付面に取り付けられたタグが外側から視認できるようになり、タグの監視などを容易に行うことができる。
【発明を実施するための最良の形態】
【００２１】
［第１実施形態］
先ず図１に、ＲＦＩＤタグの外観図を示す。薄板状ＲＦＩＤタグ２は、記憶部、電源整流部、送信部、及び受信部を備えるＩＣチップ３と、送受信アンテナ４から構成される。Ｒ／Ｗ装置から送信された電波を送受信アンテナ４が受信すると、共振作用により起電力が発生する。その電力を基に、ＩＣチップ３が起動して記録する情報を信号化し、送受信アンテナ４から送信する。その電波をＲ／Ｗ装置で受信することによって、ＩＣチップ３内に記録された情報を得ることができる。
【００２２】
図２は、本発明を適用したタグ支持部材の外観を示す斜視図である。図２（ａ）に示すように、タグ支持部材１０は、薄板状ＲＦＩＤタグ２を取り付ける取付面１４を有する本体部１１と、被固定物（遊技機の所定の部材）２０に固定する固定部１２と、取付面１４の周囲部１５から略垂直に突出するように連設され、本体部１１と固定部１２とを接続する接続部１３とから構成される一体の筐体である。本体部１１は、略長方形の平板状に形成されている。本体部１１の取付面１４は、薄板状ＲＦＩＤタグ２と嵌合するように周囲部１５よりも少し凹まされており、薄板状ＲＦＩＤタグ２を貼着した後、これが容易に取り外されないようになっている。
【００２３】
固定部１２は、被固定物２０に係止するための略板状のフック（第１固定部）１２ａと、ボルトを通すための貫通孔１２ｃが設けられた略板状のフランジ（第２固定部）１２ｂとからなる。接続部１３は、本体部１１の取付面１４が形成された一面の短辺の一方から略垂直に突出するように形成され、フック１２ａを本体部１１に接続するフック側接続部材（第１接続部）１３ａと、前記一面の短辺の他方から略垂直に突出するように形成され、フランジ１２ｂを本体部１１に接続するフランジ側接続部材（第２接続部）１３ｂとからなる。
【００２４】
フック１２ａは、フック側接続部材１３ａの先端から本体部１１と略平行かつ本体部１１よりも外側に突出するように形成されている。フランジ１２ｂは、フランジ側接続部財１３ｂの先端から本体部１１と略平行かつ本体部１１よりも外側に突出するように形成されている。
【００２５】
図２（ｂ）は、タグ支持部材１０を被固定物２０に取り付けるイメージを示した斜視図である。タグ支持部材１０を被固定物２０に固定する際、先ずフック１２ａを被固定物２０のフック嵌合孔２０ａに通して係止する。次に、フランジ１２ｂに設けられた貫通孔１２ｃと、被固定物２０に設けられた嵌合孔２０ｂとを合わせ、ボルトで固定することにより、タグ支持部材１０が被固定物２０に固定される。なお、フランジ１２ｂと、被固定物２０をボルト−ナットで固定してもよいが、作業性を考慮すれば、嵌合孔２０ｂにタップを立てておき、タグ支持部材１０側からボルト止めできることが好ましい。また、被固定物が薄肉で、タップを立てるのが困難であるならば、嵌合孔２０ｂにナットサートを挿入しておいてもよい。なお、固定方法は上記に限らず、両側をボルト止めしたり、カシメや接着で固定するなど、公知の方法を用いればよい。
【００２６】
上記の通り被固定物２０に固定されたタグ支持部材１０では、本体部１１に対して略垂直に設けられた接続部１３の作用により、薄板状ＲＦＩＤタグ２を辺１６の距離だけ被固定物２０から浮かせることができる。これにより、被固定物２０が金属、もしくはその一部に金属が使用されている部材であったとしても、その影響を受けることなくデータ通信を行うことができる。なお、辺１６を長くしすぎると、遊技機に取り付ける際に高さ方向のクリアランスにおいて、その取付位置が制限されてしまうおそれがあるので、辺１６の長さは、被固定物２０の影響を受けない最低限の長さであることが好ましい。例えば、被固定物２０がアルミ板である場合には、辺１６の長さは１０〜２０ｍｍ程度であることが好ましい。また、薄板状ＲＦＩＤタグ２の取付面１４が、本体部１１と接続部１３とによって形成される内壁面側に設けられていることにより、外部から容易に薄板状ＲＦＩＤタグ２に触れることを防止することができる。
【００２７】
図３は、本発明の運用イメージを示した斜視図である。遊技機２００の下部前面扉２２０に、薄板状ＲＦＩＤタグ２が取り付けられたタグ支持部材１０が、被固定物２０を介して固定されている。このタグ支持部材１０にＲ／Ｗ装置２３０を向けてデータ通信を行い、薄板状ＲＦＩＤタグ２に書き込まれた製造日、出荷日、機種名、製造番号などの各種情報を読み出すことにより、遊技機２００の管理、監視、検査などに利用する。また、ＩＤコードを記録した薄板状ＲＦＩＤタグ２を取り付けたタグ支持部材１０を、遊技機２００を制御するメイン基板（図示せず）などの重要な部品に固定してＩＤコードの認証を行うことにより、例えば、メイン基板を不正に利益が獲得できるものに交換された場合に、これを未然に発見することができるなど、セキュリティ性を向上させることができる。また、薄板状ＲＦＩＤタグ２は書き込みも可能であるので、ＩＤコードをホストコンピュータ（図示せず）などで管理し、定期的に変更するなどすれば、ＩＤコードが不正に利用されることを防止することができる。なお、タグ支持部材１０を固定する位置は、下部前面扉２２０に限らず、例えば、上部前面扉２１０など、遊技機２００の任意の位置（装置や基板などを含む）に固定すればよい。
【００２８】
［第２実施形態］
図４に、タグ支持部材１０の第２の実施形態を示す。本実施形態のタグ支持部材１０は、薄板状ＲＦＩＤタグ２を取り付ける取付面３５を有する本体部３０と、被固定物２０に固定する固定部３１と、取付面３５の周囲部から略垂直に突出するように連設され、本体部３０と固定部３１とを接続する接続部３２とから構成される。本体部３０は、接続部３２が連設される基体３３と、取付面３５が設けられ、薄板状ＲＦＩＤタグ２を保持した状態で着脱自在なプレート３４とからなり、前述の取付面３５の周囲部は、プレート３４を装着した状態で取付面３５と対向する基体３３の面３６である。また、固定部３１は、被固定物２０に係止するためのフック３１ａと、被固定物２０にボルト止めするためのフランジ３１ｂ及び貫通孔３１ｃを有し、接続部３２は、フック側接続部材３２ａとフランジ側接続部材３２ｂとを有する。
【００２９】
接続部３２の、基体３３との接合部には、それぞれに切り欠き部３７ａ、３７ｂが設けられており、基体３３の面３６とともにプレート３４を着脱自在に保持する、いわゆるスリットを形成する。図２に示した第１の実施形態では、薄板状ＲＦＩＤタグ２を本体部１１の取付面１４に直接貼着する構成としているため、例えば、薄板状ＲＦＩＤタグ２が故障や破損などした場合に、この薄板状ＲＦＩＤタグ２だけを交換するのは困難である。本実施形態においては、薄板状ＲＦＩＤタグ２を貼着したプレート３４を、切り欠き部３７ａ、３７ｂ、及び面３６によって形成されるスリットで着脱自在に保持する構成としたことにより、薄板状ＲＦＩＤタグ２が故障や破損などした場合にも、プレート３４を交換することによって、容易に薄板状ＲＦＩＤタグ２を交換することができるとともに、残りの部分を再利用することができる。なお、プレート３４に薄板状ＲＦＩＤタグ２を貼着する他に、プレート型に成形したＲＦＩＤタグを用いてもよい。
【００３０】
［第３実施形態］
図５に、タグ支持部材１０の第３の実施形態を示す。本実施形態のタグ支持部材１０は、薄板状ＲＦＩＤタグ２を取り付ける取付面４５を有する本体部４０と、被固定物２０に固定する固定部４１と、取付面４５の周囲部４６から略垂直に突出するように連設され、本体部４０と固定部４１とを接続する接続部４２とから構成される。本体部４０は、接続部４２が連設される基体４３と、この基体４３を固定部４１を有する接続部４２が連設される方向から覆う開閉自在なカバー４４とからなる。また、固定部４１は、被固定物２０に係止するためのフック４１ａと、被固定物２０にボルト止めするためのフランジ４１ｂ及び貫通孔４１ｃを有し、接続部４２は、フック側接続部材４２ａとフランジ側接続部材４２ｂとを有する。なお、本体部４０には、カバー４４を閉じ位置に保持できるようなフックなどの係止部材（図示せず）が設けられていることが好ましい。
【００３１】
上記第２の実施形態では、薄板状ＲＦＩＤタグ２を容易に交換できる構成であることから、図３に示すようにタグ支持部材１０を遊技機の内側に固定する場合にはよいが、例えば、遊技機の外側に固定する場合などには、セキュリティの面から好ましくない。本実施形態では、ヒンジ４０を軸として回動する開閉自在なカバー４４を備えたことにより、矢線方向に回動させて閉じ位置にした際には、基体４３とカバー４４とによって薄板状ＲＦＩＤタグ２を覆い、外部から薄板状ＲＦＩＤタグ２に触れることを防止するとともに、外力から保護することができるので、例えば、遊技機の外側に固定する場合などにもセキュリティを確保できる。
【００３２】
また、接続部４２が連設される方向から薄板状ＲＦＩＤタグ２を覆うカバー４４は、タグ支持部材１０が固定部４１によって被固定物２０に固定された際には、被固定物２０との当接によって閉じ位置に拘束され、基体４３とカバー４４とで覆われた薄板状ＲＦＩＤタグ２の着脱を防止して、例えば、薄板状ＲＦＩＤタグ２の盗難、すり替えなどの犯罪に対するセキュリティ性を高めることができる。
【００３３】
［第４実施形態］
なお、薄板状ＲＦＩＤタグ２を覆うカバーの構造は上記に限らず、例えば、図６に示すようにしてもよい。薄板状ＲＦＩＤタグ２を取り付けるための開き位置を示す図６（ａ）において、カバー５０は、直方体の２面が開いた状態で基体４３とつながっている。この状態からカバー５０を、辺５１、及び辺５２を軸として矢線方向に各軸９０°ずつ折曲させることにより、薄板状ＲＦＩＤタグ２を覆う閉じ位置（図６（ｃ）に示す位置）になる。従って、本実施形態においては、可撓性に優れた材料を選定し、辺５１、及び辺５２を折曲させ易い形状としておくことが好ましい。
【００３４】
但し、開き位置と閉じ位置との間の移動が複数回行われる場合などにおいては、辺５１、５２の折曲部で破断してしまうことが懸念されるので、この折曲部をヒンジでつなぐ構成としてもよい。
【００３５】
［第５実施形態］
なお、ヒンジや折曲部を設けることは、コストの面から見ると好ましくない。そこで、図７に示すように、基体４３とカバー６０とが分離する構成としてもよい。この際、図７（ａ）に示すように、第３、第４の実施形態と同様にして基体４３側に薄板状ＲＦＩＤタグ２を貼着させてもよいし、図７（ｂ）に示すように、カバー６０に取付面６１を設けて、カバー６０側に薄板状ＲＦＩＤタグ２を貼着させてもよい。
【００３６】
［第６実施形態］
図８に、タグ支持部材１０の第６の実施形態を示す。本実施形態のタグ支持部材１０は、薄板状ＲＦＩＤタグ２を取り付ける取付面７３を有する本体部４０と、被固定物２０に固定する固定部７１と、取付面７３の周囲部７４から略垂直に突出するように連設され、本体部７０と固定部７１とを接続する接続部７２とから構成される。固定部７１は、被固定物２０に係止するための略板状のフック７１ａと、ボルトを通すための貫通孔７１ｃが設けられた略板状のフランジ７１ｂとからなる。接続部７２は、取付面７３の外周全域を覆う略四角筒形状に形成されている。
【００３７】
フック７１ａは、接続部７２の開口端の短辺の一方から本体部７０と略平行かつ本体部７０よりも外側に突出するように形成されている。フランジ７１ｂは、接続部７２の開口端の短辺の他方から本体部７０と略平行かつ本体部７０よりも外側に突出するように形成されている。
【００３８】
本体部７０と固定部７１とが、略四角筒形状をした接続部７２で接続されたタグ支持部材１０は、被固定物２０との固定面７５のみに開口を有する箱型の形状をなしており、その内底部に設けられた取付面７３に薄板状ＲＦＩＤタグ２を貼着させた後、固定部７１によって被固定物２０に固定することにより、固定面７５に設けられた開口が塞がれて、カバーを設けた場合と同様の効果を得ることができる。また、本実施形態によれば、一体成型することが可能であるため、安価で高剛性なタグ支持部材１０を提供することができる。
【００３９】
図９〜１１に、タグ支持部材１０の第７の実施形態を示す。本実施形態のタグ支持部材１０は、その端面８０ａのみに開口を有する略四角筒形状の筐体８０と、薄板状ＲＦＩＤタグ２を取り付ける取付面８２ａを有し、筐体８０に対して挿脱自在なプレート８２と、筐体８０の開口を閉鎖する位置と開放する位置とにスライド可能なシャッタ８４と、被固定物２０に固定するため筐体８０から突出して連設される固定部８６とから構成され、固定部８６は、被固定物２０に係止するためのフック８６ａと、被固定物２０にボルト止めするためのフランジ８６ｂ及び貫通孔８６ｃを有している。
【００４０】
また、筐体８０の内面には、シャッタ用レール部材８０ｂ〜８０ｅ、及びプレート用レール部材８０ｆ〜８０ｉが設けられている。各レール部材は、それぞれプレート８２、及びシャッタ８４が嵌合する間隔で設けられ、いわゆるスリットを形成している。
【００４１】
プレート用レール部材８０ｆ〜８０ｉからなるプレート用スリット９０は、プレート８２に貼着された薄板状ＲＦＩＤタグ２を、挿脱自在、且つ被固定物２０から所定の間隔離れるように保持するタグ保持部として機能する。
【００４２】
また、筐体８０の被固定物２０との固定面には、シャッタ用レール部材８０ｂ〜８０ｅからなるシャッタ用スリット８８に連なる貫通孔８０ｊがあけられており、固定面側からシャッタ８４をシャッタ用スリット８８に挿入可能な構成としている。シャッタ用スリット８８に挿入されたシャッタ８４は、筐体８０の開口全面を閉鎖し、収納されたプレート８２の挿脱を禁止する。また、固定部８６によって被固定物２０に固定した際には、被固定物２０との当接によって貫通孔８０ｊが塞がれ、シャッタ８４の挿脱が禁止されるとともに、プレート８２の挿脱が禁止される。
【００４３】
上記構成とした本実施形態のタグ支持部材１０は、第１〜第６の実施形態と同様に、被固定物２０が金属、もしくはその一部に金属が使用されている部材であったとしても、その影響を受けることなくデータ通信を行うことができ、外部から薄板状ＲＦＩＤタグ２に触れることを防止するとともに、外力から保護することができる。また、図４に示した第２の実施形態の如く、薄板状ＲＦＩＤタグ２が故障や破損などした場合に、プレート８２を交換することによって、容易に薄板状ＲＦＩＤタグ２を交換することができるとともに、残りの部分を再利用することができる。
【００４４】
また、タグ支持部材１０は、上記第１〜第７の実施形態の何れにおいても、例えば、ＡＢＳ樹脂などの透光性を有する材料を用いることが好ましい。これにより、タグ支持部材１０が固定部によって被固定物２０に固定された際に、その内部に取り付けられた薄板状ＲＦＩＤタグ２を外部から容易に監視することができる。
【産業上の利用可能性】
【００４５】
上記説明では、取付けられる工業製品に遊技機を適用して説明したが、これに限らず様々な工業製品に適用することが可能である。
【図面の簡単な説明】
【００４６】
【図１】本発明に適用した薄板状ＲＦＩＤタグの外観図である。
【図２】タグ支持部材の第１実施形態を示す斜視図である。
【図３】本発明の運用イメージを示す斜視図である。
【図４】タグ支持部材の第２実施形態を示す斜視図である。
【図５】タグ支持部材の第３実施形態を示す斜視図である。
【図６】タグ支持部材の第４実施形態を示す斜視図である。
【図７】タグ支持部材の第５実施形態を示す斜視図である。
【図８】タグ支持部材の第６実施形態を示す斜視図である。
【図９】タグ支持部材の第７実施形態を示す斜視図である。
【図１０】タグ支持部材の第７実施形態を示す側方断面図である。
【図１１】タグ支持部材の第７実施形態を示す正面図である。
【符号の説明】
【００４７】
２  薄板状ＲＦＩＤタグ
１０  タグ支持部材
１１、３０、４０、７０  本体部
１２、３１、４１、７１、８６  固定部
１２ａ、７１ａ  フック（第１固定部）
１２ｂ、７１ｂ  フランジ（第２固定部）
１３、３２、４２、７２、  接続部
１３ａ  フック側接続部材（第１接続部）
１３ｂ  フランジ側接続部材（第２接続部）
１４、３５、４５、６１、７３、８２ａ  取付面
２０  被固定物（遊技機の所定の部材）
４４、５０、６０  カバー
２００  遊技機
【図１】
0004584284.tif 000002
【図２】
0004584284.tif 000003
【図３】
0004584284.tif 000004
【図４】
0004584284.tif 000005
【図５】
0004584284.tif 000006
【図６】
0004584284.tif 000007
【図７】
0004584284.tif 000008
【図８】
0004584284.tif 000009
【図９】
0004584284.tif 000010
【図１０】
0004584284.tif 000011
【図１１】
0004584284.tif 000012